(57)【特許請求の範囲】
【請求項１】
下記（ａ）成分、（ｂ）成分、（ｃ）成分及び（ｄ）成分を含有し、組成物中の（ａ）成分の含有量が０．５〜５質量％、（ｂ）成分の含有量が２〜２０質量％、（ｃ）成分の含有量が０．０１〜５質量％、（ｄ）成分の含有量が７０〜９５質量％である液体漂白剤組成物が充填された、透明計量キャップを有する容器入り液体漂白剤物品。
（ａ）過酸化水素
（ｂ）界面活性剤
（ｃ）ビスヒドロキシエチレンテレフタレート及びビスヒドロキシジエチレンテレフタレートから選ばれる少なくとも１種
（ｄ）水
【請求項２】
組成物中の（ａ）成分と（ｃ）成分との質量比（ｃ）／（ａ）が０．００３〜５である請求項１記載の液体漂白剤物品。
【請求項３】
組成物中の（ａ）成分と（ｂ）成分との質量比（ｂ）／（ａ）が１．５〜７である請求項１又は２記載の液体漂白剤物品。
【請求項４】
（ｂ）成分として、（ｂ−１）非イオン界面活性剤及び（ｂ−２）陰イオン界面活性剤を含有し、（ｂ−１）成分と（ｂ−２）成分との質量比（ｂ−１）／（ｂ−２）が１〜５である請求項１〜３何れか記載の液体漂白剤物品。
【請求項５】
更に（ｅ）成分としてホスホン酸系金属捕捉剤を含有する請求項１〜４何れか記載の液体漂白剤物品。
【請求項６】
更に（ｆ）成分としてフェノール系ラジカルトラップ剤を含有する請求項１〜５何れか記載の液体漂白剤物品。
【請求項７】
透明計量キャップを有する容器が、容器本体に対して設けられたノズル部材に内容液を注出するためのノズルを有し、該ノズルを覆うための透明計量キャップを着脱可能に設け、前記容器本体又はノズル部材が、ノズルの基部から周囲に広がる環状のノズル底部を経て上方に、前記ノズルとの間に環状の空間を隔てて立ち上がる筒状壁部を有し、前記キャップが、この環状の空間のところで、前記キャップの外壁面と前記筒状壁部との間に０．０５〜２．０ｍｍの範囲内の間隙を形成するように前記容器本体又はノズル部材に取り付けられ、前記の筒状壁部又は前記キャップの外壁面のうちのいずれかに、少なくとも１本の縦リブが形成されている液剤注出容器である請求項１〜６何れか記載の液体漂白剤物品。
【請求項８】
下記（ａ）成分、（ｂ）成分、（ｃ）成分及び（ｄ）成分を含有し、組成物中の（ａ）成分の含有量が０．５〜５質量％、（ｂ）成分の含有量が２〜２０質量％、（ｃ）成分の含有量が０．０１〜５質量％、（ｄ）成分の含有量が７０〜９５質量％である液体漂白剤組成物。
（ａ）過酸化水素
（ｂ）界面活性剤
（ｃ）ビスヒドロキシエチレンテレフタレート及びビスヒドロキシジエチレンテレフタレートから選ばれる少なくとも１種
（ｄ）水
【発明の詳細な説明】
【技術分野】
【０００１】
本発明は、液体漂白剤組成物が充填された透明計量キャップを有する容器入り液体漂白剤物品、並びに液体漂白剤組成物に関する。特に、衣料用に好適な液体漂白剤組成物が充填された透明計量キャップを有する容器入り液体漂白剤物品並びに液体漂白剤組成物に関する。
【背景技術】
【０００２】
過酸化水素を主基剤とする液体漂白剤は、衣類等の繊維製品の色柄物に使用でき、且つ汚れに直接塗布でき、そのまま衣料用洗剤と共に洗濯できるなどの利点から、家庭で好まれて使用されている。一方、液体漂白剤組成物を繊維製品のような吸収性のある被洗浄物に対して使用する場合、液体漂白剤組成物が表面に残り、汚れに対して十分な漂白力を発揮することができるように、また作業上の点からも液体漂白剤組成物の粘度を高める試みがなされている。
【０００３】
一般的に、水溶液の粘度を高める方法として、アクリル酸系ポリマー、キサンタンガム又はポリビニルアルコール等の高分子系増粘剤や、スメクタイト等の粘土物質を配合することが挙げられるが、過酸化水素系の液体漂白剤組成物は、安定性を考慮して、酸性に調整されるため、酸性で十分な安定性を示し、経済的にも優れ、更には外観的に濁りなどを生じさせずに十分な増粘効果を得ることは難しい。
【０００４】
例えば、アクリル酸系ポリマーでは酸性系で増粘させることが難しく、キサンタンガム等の糖系増粘剤の配合は、貯蔵後の粘度が低下してしまう。また、ポリビニルアルコールを使用する場合、多量に配合する必要があるため、効果的な増粘を行うことが難しい。粘土物質に至っては、過酸化水素自体の分解を促進する恐れがある。
【０００５】
これら問題を解決するために、高分子増粘剤に加えて、粘度安定性のためのフェノール化合物を含有する配合系が提案されており（例えば、特許文献１参照）、また糖類等のポリオールとホウ素化合物を含有する系が提案されている（例えば、特許文献２参照）が、これらの液体漂白剤組成物は、特殊な粘度安定化剤を配合しなければならないため、不経済である。また特定のポリオキシアルキレン誘導体が過酸化水素配合系での増粘に効果的であることが知られている（例えば、特許文献３参照）が、より強い漂白性能の高い酸素系の液体漂白剤組成物が望まれている。
【０００６】
液体漂白剤組成物の使用方法は、計量キャップ等に計量して使用する場合と、ボトルから直接使用する場合が考えられるが、衣類等に直接塗布して使用する場合は、一般的には計量キャップ等に計量して使用することになる（例えば、特許文献４参照）。前出のように、洗浄性能、作業上の点から液体漂白剤組成物の粘度は高い方が有利ではあるが、計量キャップ等を使用した場合、粘度が高いと計量キャップ内に液体漂白剤が残留するという問題がある。特に計量キャップが透明である場合、残留した液体漂白剤が日光暴露により濃縮され、計量キャップに悪影響を及ぼすという問題がある。
【特許文献１】特開平１１−１９３３９９号公報
【特許文献２】特開平１０−７２５９８号公報
【特許文献３】特開平１０−１３０６９３号公報
【特許文献４】特開２００１−１７１７０４号公報
【発明の開示】
【発明が解決しようとする課題】
【０００７】
本発明の課題は、使用時等に透明計量キャップに液体漂白剤組成物が残留しても、透明計量キャップに悪影響を与えない、液体漂白剤組成物が充填された透明計量キャップを有する容器入り液体漂白剤物品、並びに液体漂白剤組成物を提供することにある。
【課題を解決するための手段】
【０００８】
本発明は、下記（ａ）成分、（ｂ）成分、（ｃ）成分及び（ｄ）成分を含有し、組成物中の（ａ）成分の含有量が０．５〜５質量％、（ｂ）成分の含有量が２〜２０質量％、（ｃ）成分の含有量が０．０１〜５質量％、（ｄ）成分の含有量が７０〜９５質量％である液体漂白剤組成物が充填された、透明計量キャップを有する容器入り液体漂白剤物品を提供する。
（ａ）過酸化水素
（ｂ）界面活性剤
（ｃ）ビスヒドロキシエチレンテレフタレート及びビスヒドロキシジエチレンテレフタレートから選ばれる少なくとも１種
（ｄ）水
また、本発明は、上記（ａ）成分、（ｂ）成分、（ｃ）成分及び（ｄ）成分を含有し、組成物中の（ａ）成分の含有量が０．５〜５質量％、（ｂ）成分の含有量が２〜２０質量％、（ｃ）成分の含有量が０．０１〜５質量％、（ｄ）成分の含有量が７０〜９５質量％である液体漂白剤組成物を提供する。
【０００９】
また本発明は更に、（ｅ）成分としてホスホン酸系金属捕捉剤を含有する上記液体漂白剤物品を提供する。
【００１０】
また本発明は更に、（ｆ）成分としてフェノール系ラジカルトラップ剤を含有する上記液体漂白剤物品を提供する。
【発明の効果】
【００１１】
本発明により、洗浄性能、作業性に適した液体物性でありながら、計量キャップ等への残留があった場合でも、計量キャップに悪影響を与えない、液体漂白剤組成物が充填された透明計量キャップを有する容器入り液体漂白剤物品、並びに液体漂白剤組成物が得られる。
【発明を実施するための最良の形態】
【００１２】
［（ａ）成分］
本発明の液体漂白剤組成物は（ａ）成分として過酸化水素を含有する。
【００１３】
［（ｂ）成分］
本発明の液体漂白剤組成物は（ｂ）成分として界面活性剤を含有する。界面活性剤としては、非イオン界面活性剤、陰イオン界面活性剤、モノまたはジアルキルアミン及びそのポリオキシエチレン付加物、モノまたはジ長鎖アルキル第４級アンモニウム塩等の陽イオン界面活性剤、カルボベタイン、スルホベタイン、ヒドロキシスルホベタイン等の両性界面活性剤が挙げられる。
【００１４】
洗浄性能、液体物性、安定性の観点から、組成物中に非イオン界面活性剤（以下（ｂ−１）成分という）及び陰イオン界面活性剤（以下（ｂ−２）成分という）を含有することが好ましく、（ｂ−１）成分と（ｂ−２）成分との質量比（ｂ−１）／（ｂ−２）は、１〜５が好ましく、１．２〜４がより好ましく、１．４〜３が更に好ましく、１．６〜２．８が特に好ましい。
【００１５】
（ｂ−１）成分としては、アルキルグリコシド、ポリオキシアルキレンアルキルエーテル、ソルビタン脂肪酸エステル、ポリオキシアルキレンソルビタン脂肪酸エステル、ポリオキシアルキレン脂肪酸エステル、オキシエチレンオキシプロピレンブロックポリマー（プルロニック）、脂肪酸モノグリセライド又はアミンオキサイド等が挙げられ、これらの中でも直鎖又は分岐鎖の炭素数８〜２４のアルキル基又はアルケニル基を少なくとも１個有する非イオン界面活性剤又は炭素数８〜２４のアルキル基で置換されたアリール基を少なくとも１個有する非イオン界面活性剤が好ましく、ポリオキシエチレンアルキルエーテル（特にエチレンオキサイド平均付加モル数３〜１５、好ましくは４〜９、アルキル基の炭素数１０〜１８、好ましくは１２〜１４）が更に好ましい。
【００１６】
（ｂ−２）成分としては、直鎖又は分岐鎖の炭素数８〜２４のアルキル基又はアルケニル基を少なくとも１個有する陰イオン界面活性剤、又は炭素数８〜２４のアルキル基で置換されたアリール基を少なくとも１個有する陰イオン界面活性剤が挙げられ、その例として、アルキルベンゼンスルホン酸塩、石鹸、アルキル硫酸塩、ポリオキシエチレンアルキル硫酸塩、脂肪族α−スルホメチルエステル、α−オレフィンスルホン酸塩等を挙げることができる。これらの中でもアルキルベンゼンスルホン酸塩、α−オレフィンスルホン酸塩、アルキル硫酸塩が好ましい。
【００１７】
［（ｃ）成分］
本発明の液体漂白剤組成物は（ｃ）成分として、ビスヒドロキシエチレンテレフタレート及びビスヒドロキシジエチレンテレフタレートから選ばれる少なくとも１種を含有する。
【００１８】
［液体漂白剤組成物］
本発明の液体漂白剤組成物は、必須成分として、（ａ）成分、（ｂ）成分、（ｃ）成分及び（ｄ）成分を含有する。
【００１９】
本発明の組成物中の（ａ）成分の含有量は、洗浄性能、液体物性の観点から、０．５〜５質量％であり、０．５〜３質量％が好ましく、１〜２．８質量％がより好ましく、１．５〜２．６質量％が更に好ましい。また、（ｂ）成分の含有量は、洗浄性能、液体物性の観点から、２〜２０質量％であり、４〜１５質量％が好ましく、６〜１０質量％がより好ましい。また、（ｃ）成分の含有量は、安定性、キャップへの悪影響防止性の観点から、０．０１〜５質量％であり、０．０２〜４質量％が好ましく、０．０３〜３質量％がより好ましい。（ｄ）成分の含有量は、洗浄性能、液体物性の観点から、７０〜９５質量％であり、７５〜９２質量％が好ましく、８０〜８８質量％がより好ましい。
【００２０】
本発明の組成物中の（ａ）成分と（ｂ）成分との質量比（ｂ）／（ａ）は、洗浄性能、液体物性の観点から、１．５〜７が好ましく、２〜６がより好ましく、２．５〜５が更に好ましい。また、本発明の組成物中の（ａ）成分と（ｃ）成分との質量比（ｃ）／（ａ）は、安定性、洗浄性能、キャップへの悪影響防止性の観点から、０．００３〜５が好ましく、０．００５〜４がより好ましく、０．０１〜３が更に好ましい。
【００２１】
本発明の液体漂白剤組成物は、更に、安定性、液体物性の観点から（ｅ）成分として、ホスホン酸系金属捕捉剤を含有することが好ましい。本発明の組成物中の（ｅ）成分の含有量は、０．０５〜５質量％が好ましく、０．１〜３質量％がより好ましく、０．５〜２質量％が更に好ましい。
【００２２】
ホスホン酸系金属捕捉剤としては、１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）等の有機ホスホン酸誘導体やその塩を挙げることができる。これらの中でも１−ヒドロキシエタン−１，１−ジホスホン酸やその塩が好ましい。
【００２３】
本発明の液体漂白剤組成物は、更に、安定性、液体物性の観点から（ｆ）成分として、フェノール系ラジカルトラップ剤を含有することが好ましい。本発明の組成物中の（ｆ）成分の含有量は、０．０５〜５質量％が好ましく、０．１〜３質量％がより好ましく、０．５〜２質量％が更に好ましい。
【００２４】
フェノール系ラジカルトラップ剤としては、フェノール性水酸基を有する化合物又はフェノール性水酸基のエステル誘導体、エーテル誘導体等が挙げられる。このような化合物として、より具体的には、クレゾール、チモール、クロロフェノール、ブロモフェノール、メトキシフェノール、ニトロフェノール、ヒドロキシ安息香酸、サリチル酸、ヒドロキシベンゼンスルホン酸、ジ−ｔ−ブチル−ヒドロキシトルエン、ナフトール、ヒドロキノン、カテコール、ピロガロール、フェノキシエタノール、フェノールなどが挙げられる。これらの中でも４−メトキシフェノール、４−ヒドロキシ安息香酸、ヒドロキノン、カテコールがより好ましく、更にラジカルトラップ剤の安定性を考慮すれば、これらの中でも４−メトキシフェノール、４−ヒドロキシ安息香酸が更に好ましく、４−メトキシフェノールが特に好ましい。
【００２５】
本発明の液体漂白剤組成物の２０℃におけるｐＨは、安定性、洗浄性能、液体物性の観点から、好ましくは３〜７．５、より好ましくは３．５〜７、更に好ましくは４〜６．５である。このようなｐＨに調整するためのｐＨ調整剤としては、塩酸、硫酸等の無機酸、もしくはクエン酸、コハク酸、リンゴ酸、フマル酸、酒石酸、マロン酸、マレイン酸等の有機酸などの酸剤、又は水酸化ナトリウムや水酸化カリウム、アンモニア及びその誘導体、アミン塩（モノエタノールアミン、ジエタノールアミン、トリエタノールアミンなど）、炭酸ナトリウム、炭酸カリウムなどのアルカリ剤を、単独もしくは複合して用いることが好ましく、特に塩酸、硫酸から選ばれる酸剤、又は水酸化ナトリウム、水酸化カリウムから選ばれるアルカリ剤を用いることが好ましい。
【００２６】
また、本発明の液体漂白剤組成物の２０℃における粘度は、洗浄性能、液体物性の観点から、好ましくは５０〜２００ｍＰａ・ｓ、より好ましくは６０〜１５０ｍＰａ・ｓ、更に好ましくは７０〜１００ｍＰａ・ｓである。
本発明の液体漂白剤組成物の粘度は、Ｂ型粘度計〔（株）東京計器製、ＶＩＳＣＯＭＥＴＥＲ ＭＯＤＥＬ ＤＶＭ−Ｂ〕を用い、使用するローターは１、回転数６０ｒ／ｍｉｎ、測定時間６０秒の条件で測定されたものである。
【００２７】
本発明の液体漂白剤組成物は、優れた漂白効果、安定性の長期間維持を得る目的からホウ素化合物を含有することが好ましい。本発明の組成物中のホウ素化合物の含有量は０．０１〜５質量％が好ましく、０．０５〜３質量％がより好ましく、０．１〜２質量％が更に好ましく、０．５〜１質量％が特に好ましい。
【００２８】
ホウ素化合物としては、ホウ酸やホウ酸塩等を挙げることができるが、中でも４ホウ酸ナトリウム・５水塩、４ホウ酸ナトリウム・１０水塩が製造上好ましい。
【００２９】
本発明の液体漂白剤組成物は、漂白効果を向上させる目的から漂白活性化剤を含有することが好ましい。本発明の組成物中の漂白活性化剤の含有量は０．１〜５質量％が好ましく、０．２〜３質量％がより好ましく、０．４〜１質量％が更に好ましい。
【００３０】
漂白活性化剤としては、アルカノイルオキシベンゼン型漂白活性化剤が好ましく、特に炭素数８〜１４、好ましくは８〜１３のアルカノイル基を有するアルカノイルオキシベンゼンスルホン酸もしくは炭素数８〜１４、好ましくは８〜１３のアルカノイル基を有するアルカノイルオキシベンゼンカルボン酸又はこれらの塩が好ましい。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００３１】
本発明の液体漂白剤組成物は、漂白効果を高める目的から分散剤を含有することが好ましい。本発明の組成物中の分散剤の含有量は０．０５〜１４質量％が好ましく、０．１〜８質量％がより好ましい。特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸とのコポリマーもしくはその塩から選ばれるカルボン酸系ポリマー、及び／又は重量平均分子量４千〜２万、好ましくは５千〜１万のポリエチレングリコールから選ばれる非イオン性ポリマーが好ましい。
【００３２】
本発明の液体漂白剤組成物は、漂白繊維に対する漂白効果を増すために蛍光増白剤として、チノパールＣＢＳ（チバ・ガイギー社製）、チノパールＳＷＮ（チバ・ガイギー社製）や、カラー・インデックス蛍光増白剤２８、４０、６１、７１等のような蛍光増白剤や、漂白性能を向上させるために酵素（セルラーゼ、アミラーゼ、プロテアーゼ、リパーゼ）を含有することができる。また染料や顔料のような着色剤、香料、シリコーン類、殺菌剤、紫外線吸収剤等の種々の微量添加物を適量配合してもよい。
【００３３】
［液体漂白剤物品］
本発明の液体漂白剤物品は、本発明に係わる液体漂白剤組成物を、透明計量キャップを有する容器に充填したものである。
【００３４】
ここで透明とは、内容物が可視できる程度に光を透過できることであり、好ましくはＨＡＺＥ値が８０％以下、更に７０％以下のものである。なお、透明性は、ＪＩＳ  Ｋ  ７１０５  プラスチックの光学的特性試験法（５．５及び６．４）で求められたＨＡＺＥ値によって評価されるものである。具体的には、積分球式光線透過率測定装置を用いて、拡散透過率を測定し、その比によって表した数値であり、数値が小さい方が透明性が高く、数値が大きい方が透明性が低いことを意味する。
【００３５】
透明計量キャップを有する容器としては、特開２００１−３１００号公報、特開２００１−１７１７０４号公報、特開２００１−１９９４６６号公報、特開２００５−１１２３７０号公報等に記載された透明計量キャップを有する容器等を用いることができる。
【００３６】
本発明に用いられる透明計量キャップを有する容器としては、液垂れ、液残留防止の観点で、容器本体に対して設けられたノズル部材に内容液を注出するためのノズルを有し、該ノズルを覆うための透明計量キャップを着脱可能に設け、前記容器本体又はノズル部材が、ノズルの基部から周囲に広がる環状のノズル底部を経て上方に、前記ノズルとの間に環状の空間を隔てて立ち上がる筒状壁部を有し、前記キャップが、この環状の空間のところで、前記キャップの外壁面と前記筒状壁部との間に０．０５〜２．０ｍｍの範囲内の間隙を形成するように前記容器本体又はノズル部材に取り付けられ、前記の筒状壁部又は前記キャップの外壁面のうちのいずれかに、少なくとも１本の縦リブが形成されている液剤注出容器が好ましい。
【００３７】
好ましい透明計量キャップを有する容器の一例を図１に示す。図１において、透明計量キャップ１は、計量部２の外周中間部に連続する外筒部３にねじ部４を備え、容器本体１１のノズル部材１２に螺着された状態で容器本体１１を封止し、ノズル部材１２から取外された状態で、ノズル部材１２のノズル１３から注出される容器本体１１の内容液を受入れて計量可能とする。
【００３８】
計量キャップ１の内面に付着した液体は、計量キャップ１の内面から、ノズル部材１２の液溜まり部１４を流れ、ひいては該液溜まり部１４の底部１５から容器本体１１に戻される。
【００３９】
ノズル部材１２は、ノズル１３の基部１６から周囲に広がる環状のノズル底部を経て上方に、ノズル１３との間に環状の空間１７を隔てて立ち上がる筒状壁部１８を有し、計量キャップ１が、この環状の空間１７のところで、計量キャップ１の外壁面１９と筒状壁部１８との間に０．０５〜２．０ｍｍの範囲内の間隙を形成するようにノズル部材１２に取り付けられ、筒状壁部１８又は計量キャップの外壁面１９のうちのいずれかに、少なくとも１本の縦リブが形成されている。
【００４０】
本発明に用いられる透明計量キャップ及び組成物を収容する容器の材質は、高密度、中密度又は低密度ポリエチレン、ポリエチレンテレフタレート及びポリプロピレン（透明性等の点でα−オレフィン、好ましくは１−ブテンとの共重合体を使用する）から選ばれる１種以上の熱可塑性樹脂を選択することが好ましい。容器の平均の厚さ（特に組成物の収容部の平均厚さ）は、好ましくは１００〜２０００μｍ、より好ましくは４００〜１５００μｍが好適である。
【００４１】
本発明に用いられる透明計量キャップ及び容器を審美的観点から着色することも可能であり、その場合には、フタロシアニン系顔料及びアゾ系顔料から選ばれる１種以上を、容器の構成樹脂１００質量部に対して好ましくは０．００５〜０．５質量部、より好ましくは０．０１〜０．３質量部配合することが望ましい。フタロシアニン系顔料はフタロシアニングリーン、フタロシアニンブルーを挙げることができ、アゾ系顔料はパーマネントカーミン、パーマネントレッド、パーマネントイエロー、ハンザイエロー、バルカンファストレッド、ベンジジンオレンジ、ポリアゾイエロー等を挙げることができる。
【００４２】
また、使用時に、透明計量キャップ及び容器の樹脂が帯電し汚れが吸着するなどにより美観が損なわれることがないよう、内部練り混み型帯電防止剤を樹脂に配合する、あるいは表面塗布型帯電防止剤で処理することが望ましい。効果の持続性などの点から、内部練り混み型の帯電防止剤の使用が好ましく、樹脂１００質量部に対して０．００１〜１質量部、更に０．０１〜０．５質量部、特に０．０５〜０．５質量部用いることが望ましい。帯電防止剤としては、内容物の性質を損なうことがなければ一般的に用いられているどのようなものでも使用できるが、非イオン系、陰イオン系、陽イオン系、両性系の界面活性剤が好ましく、中でも非イオン界面活性剤が好ましい。非イオン界面活性剤としては、ポリ（オキシエチレン）アルキルアミン、ポリ（オキシエチレン）アルキルアミド、ポリ（オキシエチレン）アルキルエーテル、ポリ（オキシエチレン）アルキルフェニルエーテル、グリセリン脂肪酸エステル、ソルビタン脂肪酸エステル等が挙げられ、なかでもポリ（オキシエチレン）アルキルアミン、グリセリン脂肪酸エステルが好ましい。
【００４３】
また、内容物の貯蔵安定性をさらに向上させる目的から、容器の構成樹脂に紫外線吸収剤を添加することが好ましい。用いることができる紫外線吸収剤としてはベンゾトリアゾール系、ベンゾフェノン系、ベンゾエート系、トリアジン系の有機化合物や微粒子酸化亜鉛や酸化チタン等の無機化合物を挙げることができ、本発明では特にベンゾトリアゾール系紫外線吸収剤が好適である。
【００４４】
ベンゾトリアゾール系紫外線吸収剤の好ましい具体例としては、２−（２Ｈ−ベンゾトリアゾール−２−イル）−ｐ−クレゾール、２−（２’−ヒドロキシ−３’，５’−ビス（メチルベンジル）フェノール）ベンゾトリアゾール、２−（２’−ヒドロキシ−３’−ｔｅｒｔ−ブチル−５’−メチルフェノール）−５−クロロベンゾトリアゾール、２−（２’−ヒドロキシ−３’，５’−ジ−ｔｅｒｔ−ブチルフェノール）−５−クロロベンゾトリアゾール、２−（２’−ヒドロキシ−３’，５’−ジ−ｔｅｒｔ−アミルフェノール）ベンゾトリアゾール、２−（２’−ヒドロキシ−５’−テトラメチルブチルフェノール）ベンゾトリアゾール、２−［５−クロロ（２Ｈ）−ベンゾトリアゾール−２−イル］−４−メチル−６−（ｔｅｒｔ−ブチル）フェノール、２，４−ｔｅｒｔ−ブチル−６−（５−クロロベンゾトリアゾール−２−イル）フェノール、２−（２Ｈ−ベンゾトリアゾール−２−イル）−４，６−ビス（１−メチル−１−フェニルエチル）フェノール、２−ベンゾトリアゾール−２−イル−４，６−ジ−ｔｅｒｔ−ブチルフェノール、２−（２Ｈ−ベンゾトリアゾール−２−イル）−４，６−ジ−ｔｅｒｔ−ペンチルフェノール、２−（２Ｈ−ベンゾトリアゾール−２−イル）−４−（１，１，３，３−テトラメチルブチル）フェノール等が挙げられ、特に２−（２Ｈ−ベンゾトリアゾール−２−イル）−ｐ−クレゾール、２−（２’−ヒドロキシ−３’，５’−ビス（メチルベンジル）フェノール）ベンゾトリアゾール、２−（２’−ヒドロキシ−３’−ｔｅｒｔ−ブチル−５’−メチルフェノール）−５−クロロベンゾトリアゾール、２−（２’−ヒドロキシ−３’，５’−ジ−ｔｅｒｔ−ブチルフェノール）−５−クロロベンゾトリアゾール、２−（２’−ヒドロキシ−３’，５’−ジ−ｔｅｒｔ−アミルフェノール）ベンゾトリアゾール、２−（２’−ヒドロキシ−５’−テトラメチルブチルフェノール）ベンゾトリアゾール、２−［５−クロロ（２Ｈ）−ベンゾトリアゾール−２−イル］−４−メチル−６−（ｔｅｒｔ−ブチル）フェノール、２，４−ｔｅｒｔ−ブチル−６−（５−クロロベンゾトリアゾール−２−イル）フェノールが好ましい。
【００４５】
本発明では上記紫外線吸収剤を透明計量キャップ及び容器の構成樹脂１００質量部に対して好ましくは０．００１〜０．５質量部、特に好ましくは０．００５〜０．３質量部用いることが容器の透明性の点から好適である。
【実施例】
【００４６】
実施例１〜７及び比較例１〜４
下記成分を用い、表１に示す組成の液体漂白剤組成物を調製した。得られた液体漂白剤組成物について、以下に示す方法により、キャップ残留量の評価及び塗布洗浄力の評価を行った。その結果を表１に示す。
【００４７】
＜配合成分＞
（ａ）成分
（ａ）−１；過酸化水素
（ｂ−１）成分
（ｂ−１）−１；ＣＨ3(ＣＨ2)11-Ｏ-(Ｃ2Ｈ4Ｏ)6-Ｈ
（ｂ−１）−２；ＣＨ3(ＣＨ2)11-Ｏ-(Ｃ2Ｈ4Ｏ)7-(Ｃ3Ｈ6Ｏ)2-(Ｃ2Ｈ4Ｏ)3Ｈ
（ｂ−１）−３；ＣＨ3(ＣＨ2)11-Ｏ-(Ｃ2Ｈ4Ｏ)4.5-Ｈ
（ｂ−２）成分
（ｂ−２）−１；ＬＡＳ−Ｎａ：炭素数１０〜１４の直鎖アルキルベンゼンスルホン酸ナトリウム
（ｂ−２）−２；ＡＯＳ−Ｎａ：炭素数１４〜１８のα−オレフィンスルホン酸ナトリウム
（ｃ）成分
（ｃ）−１；ビスヒドロキシエチレンテレフタレート（東京化成株式会社製）
（ｃ）−２；ビスヒドロキシジエチレンテレフタレート（東京化成株式会社製）
（ｅ）成分
（ｅ）−１；１−ヒドロキシエタン−１，１−ジホスホン酸（ディクエスト２０１０、ソルーシア社製）
（ｆ）成分
（ｆ）−１；４−メトキシフェノール
その他の成分
（ｇ）−１；ドデカノイルオキシ−ｐ−ベンゼンスルホン酸
（ｇ）−２；ノナノイルオキシ−ｐ−ベンゼンスルホン酸
（ｇ）−３；デカノイルオキシ−ｐ−ベンゼンカルボン酸
（ｇ）−４；メタホウ酸
＜キャップ残留量の評価＞
液体漂白剤組成物を２０℃に調整し、図１に示す透明計量キャップ（内径３２ｍｍ、材質ポリプロピレン、特開２００１−１９９４６６号公報記載の透明計量キャップ）に液体漂白剤組成物を４０ｇ量り取る。次に透明計量キャップを９５度傾けて３秒間保持し、量り取った液体漂白剤組成物を排出する。この操作による液体漂白剤組成物の透明計量キャップへの残留量を測定した。
【００４８】
＜塗布洗浄力＞
日東紅茶（黄色パッケージ）８０ｇを３Ｌのイオン交換水にて約１５分間煮沸後、糊抜きしたさらし木綿でこし、この液に木綿金布＃２００３を浸し、約１５分間煮沸した。そのまま火よりおろし、約２時間程度放置後、布を取りだし自然乾燥させ、洗液に色がつかなくなるまで水洗し、脱水、プレス後、１０ｃｍ×１０ｃｍの試験片（紅茶汚染布）として実験に供した。
【００４９】
液体漂白剤組成物を２０℃に調整し、紅茶汚染布につき液体漂白剤組成物１ｇを均一に塗布した。１サンプルにつき５枚を一組とした。塗布後５分間放置した後、ＪＩＳ  Ｋ  ３３６２：１９９８記載の洗浄力判定用指標洗剤溶液（蛍光増白剤無添加）を用い、ターゴトメーターで２０℃、１０分洗浄した後、水洗い、乾燥後、下式により漂白率を求めた。反射率計は日本電色工業（株）製ＮＤＲ−１０１ＤＰで４６０ｎｍフィルターを使用して測定した。
【００５０】
【数１】
0004663443.tif 000002
【００５１】
【表１】
0004663443.tif 000003
【図面の簡単な説明】
【００５２】
【図１】本発明に用いられる透明計量キャップを有する容器の一例を示す口首部の断面図である。
【符号の説明】
【００５３】
１  透明計量キャップ
２  計量部
３  外筒部
４  ねじ部
１１  容器本体
１２  ノズル部材
１３  ノズル
１４  液溜まり部
１５  底部
１６  ノズルの基部
１７  環状の空間
１８  筒状壁部
１９  計量キャップの外壁面
【図１】
0004663443.tif 000004